(57)【要約】【課題】外部調光時の調光精度を向上することができる撮影用照明装置等を提供する。【解決手段】撮影用照明装置（１）を、照明光を発光する発光部（１０）と、前記発光部が発光した照明光のうち、受光用の開口部（３２）を介して入射する被写体からの反射光を検出する受光センサ（３０）と、前記開口部に到達する光の一部を遮光する部材であって、前記開口部よりも前記被写体側に突き出して配置される遮光部材（４１）とを備える構成とした。【選択図】図３
2009145383.tif 000002
【特許請求の範囲】
【請求項１】
照明光を発光する発光部と、
前記発光部が発光した照明光のうち、受光用の開口部を介して入射する被写体からの反射光を検出する受光センサと、
前記開口部に到達する光の一部を遮光する部材であって、前記開口部よりも前記被写体側に突き出して配置される遮光部材と
を備える撮影用照明装置。
【請求項２】
請求項１に記載の撮影用照明装置において、
前記遮光部材は、筒状に形成されるとともに内周面の少なくとも一部に光を実質的に全反射する平滑面を備えること
を特徴とする撮影用照明装置。
【請求項３】
請求項１又は請求項２に記載の撮影用照明装置において、
前記遮光部材は、前記開口部から突出しない収容位置と、該開口部から突出した突出位置との間を移動可能に設けられること
を特徴とする撮影用照明装置。
【請求項４】
請求項３に記載の撮影用照明装置において、
前記遮光部材を前記収容位置と前記突出位置との間で駆動するアクチュエータと、
前記アクチュエータを制御する駆動制御部と、
該撮影用照明装置を用いて撮影を行う際に使用する撮影装置から、該撮影装置に備えられたレンズ鏡筒の全長及び外径寸法の少なくとも一方に関する情報を取得する通信部と
をさらに備え、
前記駆動制御部は、前記通信部が取得した前記レンズ鏡筒に関する情報に応じて、前記遮光部材の突出量を変化させる制御を行うこと
を特徴とする撮影用照明装置。
【請求項５】
請求項４に記載の撮影用照明装置において、
前記発光部に対して光拡散装置が装着されたことを検出する検出部を備え、
前記駆動制御部は、前記検出部が前記光拡散装置の装着を検出した場合に前記遮光部材を前記突出位置に駆動制御すること
を特徴とする撮影用照明装置。
【請求項６】
請求項３から請求項５までのいずれか１項に記載の撮影用照明装置において、
前記受光センサの出力が所定レベルに達すると、前記発光部へ照明光の発光停止を指示する発光停止制御部を備え、
該発光停止制御部は、前記遮光部材が前記突出位置にある場合には前記遮光部材が前記収容位置にある場合よりも前記所定レベルを下げるか、又は、該受光センサの受光感度を上げること
を特徴とする撮影用照明装置。
【請求項７】
請求項１から請求項６までのいずれか１項に記載の撮影用照明装置を含むこと
を特徴とする撮影装置。
【請求項８】
被写体からの反射光を検出する受光センサを備えた撮影用照明装置又は撮影装置に着脱可能に装着され、かつ、該撮影用照明装置又は撮影装置に対する装着状態で前記受光センサに入射する光の一部を遮光する遮光部材であって、
筒状に形成されるとともに内周面の少なくとも一部の光を実質的に全反射する平滑面を備えること
を特徴とする遮光部材。
【発明の詳細な説明】
【技術分野】
【０００１】
本発明は、撮影用照明装置、撮影装置、及び、遮光部材に関するものである。
【背景技術】
【０００２】
従来、カメラとしては、閃光発光装置が発光した光のうち、撮影レンズを通過しない外光を受光する光センサと、この光センサが受光した受光量に応じて閃光発光装置の発光量を制御する調光制御手段とを備えたものが知られている（例えば、特許文献１参照）。
【特許文献１】特開平６−３７３６号公報
【発明の開示】
【発明が解決しようとする課題】
【０００３】
この従来のカメラを用いて閃光発光装置の発光量制御（外部調光）を行う場合、被写体からの反射光の光量を正確に測定する必要があるが、光センサは、被写体からの反射光のみならず、閃光発光装置が発光した閃光のうち撮影レンズの外周面によって反射（乱反射）された光を検出する可能性があり、正確な発光制御が困難になる可能性がある。
本発明の課題は、外部調光時の調光精度を向上することができる撮影用照明装置、撮影装置、及び、遮光部材を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、照明光を発光する発光部（１０）と、前記発光部が発光した照明光のうち、受光用の開口部（３２）を介して入射する被写体からの反射光を検出する受光センサ（３０）と、前記開口部に到達する光の一部を遮光する部材であって、前記開口部よりも前記被写体側に突き出して配置される遮光部材（４１）とを備える撮影用照明装置（１）である。
【０００５】
請求項２の発明は、請求項１又は請求項２に記載の撮影用照明装置において、前記遮光部材（４１）は、筒状に形成されるとともに内周面の少なくとも一部に光を実質的に全反射する平滑面を備えることを特徴とする撮影用照明装置（１）である。
請求項３の発明は、請求項１に記載の撮影用照明装置において、前記遮光部材（４１）は、前記開口部（３２）から突出しない収容位置と、該開口部から突出した突出位置との間を移動可能に設けられることを特徴とする撮影用照明装置（１）である。
請求項４の発明は、請求項２又は請求項３に記載の撮影用照明装置において、前記遮光部材（４１）を前記収容位置と前記突出位置との間で駆動するアクチュエータ（Ｍ）と、前記アクチュエータを制御する駆動制御部（５３）と、該撮影用照明装置を用いて撮影を行う際に使用する撮影装置（２００）から、該撮影装置に備えられたレンズ鏡筒（２２０）の全長及び外径寸法の少なくとも一方に関する情報を取得する通信部（２０）とをさらに備え、前記駆動制御部は、前記通信部が取得した前記レンズ鏡筒に関する情報に応じて、前記遮光部材の突出量を変化させる制御を行うことを特徴とする撮影用照明装置（１）である。
請求項５の発明は、請求項４に記載の撮影用照明装置において、前記発光部（１０）に対して光拡散装置（１２）が装着されたことを検出する検出部（１３）を備え、前記駆動制御部（５３）は、前記検出部が前記光拡散装置の装着を検出した場合に前記遮光部材（４１）を前記突出位置に駆動制御することを特徴とする撮影用照明装置（１）である。
請求項６の発明は、請求項２から請求項５までのいずれか１項に記載の撮影用照明装置において、前記受光センサ（３０）の出力が所定レベルに達すると、前記発光部（１０）へ照明光の発光停止を指示する発光停止制御部（５２）を備え、該発光停止制御部は、前記遮光部材が前記突出位置にある場合には前記遮光部材が前記収容位置にある場合よりも前記所定レベルを下げるか、又は、該受光センサの受光感度を上げることを特徴とする撮影用照明装置（１）である。
【０００６】
請求項７の発明は、請求項１から請求項６までのいずれか１項に記載の撮影用照明装置（１）を含むことを特徴とする撮影装置（１００）である。
【０００７】
請求項８の発明は、被写体からの反射光を検出する受光センサ（３０）を備えた撮影用照明装置（２）又は撮影装置（３）に着脱可能に装着され、かつ、該撮影用照明装置又は撮影装置に対する装着状態で前記受光センサに入射する光の一部を遮光する遮光部材であって、筒状に形成されるとともに内周面の少なくとも一部の光を実質的に全反射する平滑面を備えることを特徴とする遮光部材（７０）である。
なお、符号を付して説明した構成は、適宜改良してもよく、また、少なくとも一部を他の構成物に代替してもよい。
【発明の効果】
【０００８】
本発明によれば、外部調光時の調光精度を向上することができる撮影用照明装置、撮影装置、及び、遮光部材を提供することができる。
【発明を実施するための最良の形態】
【０００９】
［第１実施形態］
以下、図面を参照して、本発明を適用した撮影用照明装置の実施形態（第１実施形態）について説明する。
図１は、第１実施形態の撮影用照明装置を含むカメラシステムを示すブロック図である。
【００１０】
カメラシステム１００は、カメラ２００と、このカメラ２００に対して着脱可能に装着される撮影用照明装置１（以下、照明装置１と称する）とを備えている。
【００１１】
カメラ２００は、イメージセンサＳによって被写体像を撮影する部分であるカメラボディ２１０と、このカメラボディ２１０に対して着脱可能に装着され、前述のイメージセンサＳに被写体光を導くレンズ鏡筒２２０とを備えた撮影装置である。なお、カメラ２００は、レンズ鏡筒２２０の交換が不可能なレンズ非交換式のものであってもよく、カメラボディ２１０は、銀塩カメラでもよい。
【００１２】
レンズ鏡筒２２０は、撮影距離等に応じて焦点距離を変化させることができるズームレンズＬを備えている。そして、レンズ鏡筒２２０は、ズームレンズＬの焦点距離に応じて光軸方向の全長（以下、鏡筒全長と称する）が変化するようになっている。具体的に説明すると、レンズ鏡筒２２０の鏡筒全長は、ズームレンズＬの焦点距離が長くなるにしたがって長くなる。
【００１３】
カメラボディ２１０とレンズ鏡筒２２０とは、それぞれに備えられた通信部２１１と通信部２２１とを介して電気通信が可能になっている。カメラボディ２１０は、装着されたレンズ鏡筒２２０の焦点距離に関する情報、及び、レンズ鏡筒２２０の種類に関する情報等をレンズ鏡筒２２０と通信を行うことによって取得できるようになっている。
【００１４】
照明装置１は、カメラ２００を用いて撮影を行う際に、撮影用の照明光を被写体等に向けて照射するものであり、一般にスピードライト、ストロボ、フラッシュ等と称されているものである。
照明装置１は、発光部１０、通信部２０、受光センサ３０、遮光装置４０、制御部５０、メモリ６０等を備えている。
【００１５】
発光部１０は、被写体等に対して照明光を発光する部分であり、例えば、キセノン管等の発光源１１を備えている。また、発光部１０は、拡散装置１２が装着された場合にこれを検出する検出スイッチ１３を備えている。
拡散装置１２は、照明装置１に装着された状態で発光部１０を覆い、発光部１０の発光面の面積を広げることによって発光部１０から照射される光をやわらげる効果がある。拡散装置１２は、例えば、人物を正面から撮影する際等に使用される。
通信部２０は、カメラボディ２１０に備えられた通信部２１１と通信を行う部分である。照明装置１は、この通信部２０によって、カメラボディ２１０からレンズ鏡筒２２０の種類や焦点距離に関する情報を取得する。
【００１６】
受光センサ３０は、この照明装置１を用いて撮影を行う際、発光部１０から照射された照明光のうち、被写体から反射された反射光を検出するものである。
図２は、図１に示す照明装置に備えられた受光センサ及び遮光装置を示す図である。
図２の各図に示すように、照明装置１の筐体Ｂの前面部には、凹部３１が形成され、受光センサ３０は、この凹部３１の底部に固定されている。受光センサ３０は、この凹部３１によって規定される受光用の開口部３２を介して被写体からの反射光を検出する。また、凹部３１には、受光センサ３０の入射面側に配置され、受光センサ３０を保護する保護板３３が設けられている。保護板３３は、例えば、略透明な合成樹脂材料によって形成された板状部材である。
【００１７】
ここで、本実施形態のカメラシステム１００は、受光センサ３０によって被写体からの反射光を測定して撮影時における発光量を制御する。このような、撮影レンズを通過しない外部光に基づく照明装置１の発光量制御は、外部調光と称されている。
外部調光を行う場合、照明装置１は、撮影の直前に予備的な発光（プリ発光）を行い、受光センサ３０は、このプリ発光の反射光を検出する。プリ発光時の発光量は、撮影条件に関わらず一定とされており、後述する制御部５０は、受光センサ３０の出力に基づいて被写体輝度を測定し、この被写体輝度に応じて撮影時の目標発光量（本発光量）を算出する。
本発光量が決定すると、照明装置１は、撮影のタイミングに合わせて再び発光部１０から照明光を照射し、受光センサ３０は、この反射光を検出する。制御部５０は、受光センサ３０の出力の積分値が目標発光量に相当する所定レベルに達すると、これに応じて後述する発光停止制御部５２が発光部１０に対して発光停止のトリガ信号を発信する。
【００１８】
遮光装置４０は、受光センサ３０が被写体からの反射光を正確に検出することができるようにするためのものである。以下、この遮光装置４０を設けた理由について説明する。
図３は、図１に示すカメラシステムにおいて、照明装置が発光を行った状態を示す図である。
この図３において、（ａ）、（ｂ）は、拡散装置１２が装着されていない状態、拡散装置１２が装着された状態をそれぞれ示している。
図３（ａ）に示すように、照明装置１から照射される照明光は、撮影領域の全体を照射できるように、所定の角度をもって照射される（図３において、光の照射範囲に符号ａを付す）。
【００１９】
そして、図３に示すように、照明装置１から照射された光は、レンズ鏡筒２２０の外周面によって乱反射（図３において、乱反射された光に符号ｂを付す）され、受光センサ３０は、この乱反射光の一部ｂ１を検出する可能性がある。
仮に受光センサ３０が被写体からの反射光以外にレンズ鏡筒２２０からの乱反射光を検出すると、照明装置１は、正確な被写体輝度の測定が困難になり、外部調光の調光精度が低下する可能性がある。
そこで、本実施形態の照明装置１は、遮光装置４０によって、レンズ鏡筒２２０からの乱反射光を受光センサ３０が検出することを抑制するようになっている。
【００２０】
また、図３（ｂ）に示すように、照明装置２に拡散装置１２が装着された場合、照明光は、照射角度の広い拡散光となるので、受光センサ３０は、この拡散光を直接検出する可能性がある。
そこで、本実施形態の照明装置１は、遮光装置４０によって発光部１０から照射された拡散光を受光センサ３０が直接検出することを抑制するようになっている。
【００２１】
以下、遮光装置４０の構造について、図２を用いて説明する。
この図２において、（ａ）、（ｂ）は、それぞれ遮光装置４０に備えられた遮光部材４１が収容位置、突出位置にある状態を示している。
遮光装置４０は、遮光部材４１、駆動部４２、検出部４３等を備えている。
遮光部材４１は、被写体側（以下、先端部側と称する）の内径寸法が、撮影者側の内径寸法よりも大きく形成された筒体（テーパ筒）である。遮光部材４１は、その内周面が光沢面等の平滑面に加工処理されており、光を実質的に全反射することによって光の乱反射を抑制するようになっている。
【００２２】
遮光部材４１は、その全長の略全部が筐体Ｂの凹部３１に収容された収容位置（図２（ａ）参照）と、その先端部側の領域が開口部３２から被写体側に繰り出した突出位置（図２（ｂ）参照）との間を移動可能になっている。前述のように受光センサ３０は、凹部３１の底部に固定されており、遮光部材４１は、受光センサ３０に対して収容位置と突出位置との間で移動する。
【００２３】
駆動部４２は、遮光部材４１を収容位置と突出位置との間で駆動する部分である。
駆動部４２は、電動モータＭ等のアクチュエータや、この電動モータＭの出力を遮光部材４１に伝達する伝達部材（図示省略）を備えている。遮光部材４１に電動モータＭの出力を伝達する方式は、特に限定されないが、例えば、送りネジやカム機構によって遮光部材４１を駆動することができる。
【００２４】
検出部４３は、遮光部材４１の移動量（筐体Ｂからの突出量）を検出するものであり、遮光部材４１に形成された磁気パターン４３ａと、この磁気パターン４３ａを読み取る磁気センサ４３ｂとを備えている。後述する駆動制御部５３は、遮光部材４１が収容位置と突出位置との間で進退動作を行う際に、磁気センサ４３ｂから出力される信号に応じて遮光部材４１の突出量を検出するようになっている。なお、遮光部材４１の突出量を検出する手段は、これに限らず、例えば、光センサによって遮光部材の突出量を検出してもよいし、電動モータＭの駆動量から遮光部材４１の突出量を演算してもよい。
【００２５】
図１に戻って、制御部５０は、照明装置１に備えられた各要素を統括的に制御する部分であり、発光開始制御部５１、発光停止制御部５２、駆動制御部５３等を含んでいる。
発光開始制御部５１は、撮影者がカメラ２００に対して発信する撮影動作の開始指示信号を通信部２０、２１１を介して受信した場合に、これに応じて発光部１０に発光の開始を指示する部分である。発光停止制御部５２は、前述したように、外部調光を行う場合に受光センサ３０の出力に基づいて発光部１０に対して発光停止の指示信号を発信する部分である。
駆動制御部５３は、遮光装置４０に備えられた電動モータＭを制御する部分である。
【００２６】
メモリ６０には、レンズ鏡筒２２０の鏡筒全長や鏡筒外径に関する情報が、レンズ鏡筒２２０焦点距離や種類に関連付けられてテーブル化されたデータが記憶されている。
前述のようにカメラボディ２１０は、レンズ鏡筒２２０と通信を行ってレンズ鏡筒２２０の種類、及び、焦点距離に関する情報を取得する。そして、照明装置１は、カメラボディ２１０と通信を行ってレンズ鏡筒２２０の種類、及び、焦点距離に関する情報を取得する。
【００２７】
制御部５０は、カメラボディ２１０から取得したレンズ鏡筒２２０の種類、及び、焦点距離に関する情報に基づいてメモリ６０に記録された情報を参照し、これによってレンズ鏡筒２２０の鏡筒全長、及び、鏡筒外径を判定するようになっている。
なお、カメラボディ２１０には、図１に示すレンズ鏡筒２２０以外にも複数種類のレンズ鏡筒（図示省略）が装着可能になっているが、メモリ６０には、これらの複数のレンズ鏡筒に対応した複数の情報がテーブル化されて記録されている。メモリ６０には、この種のテーブル化されたデータが複数記録されているが、これらのデータは、予め試験等によってデータ採りを行って作成しておけばよい。
【００２８】
次に、制御部５０が行う遮光部材４１の繰出制御について、フローチャートを用いてステップごとに説明する。
図４は、図１に示す制御部が行う遮光部材の繰出制御を示すフローチャートである。
【００２９】
（ステップＳ０１：レンズ情報取得）
照明装置１は、撮影者から外部調光によって撮影を行う旨の指示を受けると、制御部５０が通信部２０、２１１を介してカメラボディ２１０からレンズ鏡筒２２０の種類情報及び焦点距離情報を取得してステップＳ０２に進む。
（ステップＳ０２：繰り出し要否判定）
鏡筒全長や鏡筒外径がどの程度以上であれば、受光センサ３０がレンズ鏡筒２２０で乱反射した乱反射光を検出する可能性があるかは、上述のメモリ６０に記録されており、制御部５０は、ステップＳ０１で取得した情報とメモリ６０に記録された情報とを照合して遮光部材４１の繰り出しが必要か否かを判断する。
ただし、照明光がレンズ鏡筒２２０で反射される可能性がない場合であっても、検出スイッチ１３が拡散装置１２の装着を検出した場合、制御部５０は、遮光部材４１の繰り出し制御を行う。
制御部５０は、遮光部材４１の繰り出しが必要であると判断した場合にはステップＳ０３に進み、遮光部材４１を繰り出す必要がないと判断した場合にはステップＳ０６に進む。
【００３０】
（ステップＳ０３：繰り出し量算出決定）
遮光部材４１の繰り出しが必要である場合、どの程度遮光部材４１を開口部３２から繰り出せば受光センサ３０が乱反射光を検出することを防止できるかについてのデータも、メモリ６０にテーブル化されて記録されており、制御部５０は、メモリ６０に記録されたデータを参照して遮光部材４１の繰り出し量を決定し、ステップＳ０４に進む。
（ステップＳ０４：繰出制御）
制御部５０は、駆動制御部５３が電動モータＭを制御して、ステップＳ０３で決定した繰り出し量に応じて、遮光部材４１を筐体Ｂから突き出させる。
【００３１】
（ステップＳ０５：閾値の補正）
受光センサ３０は、突出位置にある遮光部材４１によってレンズ鏡筒２２０からの乱反射光を検出することが防止されているが、これによって、被写体光の受光量も減少する。
前述のように、外部調光は、受光センサ３０の出力が所定レベル（閾値）に達することによって発光停止のタイミングが決定するので、受光センサ３０の受光量が減少すると、発光部１０に対して正確なタイミングで発光停止の信号を発信することが困難になる。
そこで、制御部５０は、前述した所定レベル（閾値）を下げる制御を行う。閾値をどの程度下げるかは、遮光部材４１の突出量によって変化するが、メモリ６０には、遮光部材４１の突出量に応じた閾値の補正量に関するデータがテーブル化されて記録されている。
【００３２】
制御部５０は、メモリ６０を参照して発光停止のタイミングを規定する前述の所定レベル（閾値）を補正する制御を行う。一例を挙げて説明すると、突出位置にある遮光部材４１によって受光センサ３０の受光量が、例えば、１０％程度減少するのであれば、制御部５０は、この受光量の減少を見込んで閾値も１０％程度低下させる制御を行う。
【００３３】
（ステップＳ０６：調光）
制御部５０は、発光部１０を制御して被写体等に対して小発光量で照明光を照射（プリ発光）し、受光センサ３０が被写体からの反射光を検出する。制御部５０は、受光センサ３０の出力に基づいて撮影時（本発光時）の発光量を演算し、発光部１０を制御して本発光を行う。
【００３４】
以上説明した実施形態の照明装置１によれば、以下の効果を得ることができる。
（１）照明装置１は、発光部１０から照射された照明光のうちレンズ鏡筒２２０で乱反射した光を受光センサ３０が検出する可能性がある場合に遮光部材４１を突出位置に繰り出し制御するので、受光センサ３０がレンズ鏡筒２２０からの乱反射光を検出することが防止される。したがって、レンズ鏡筒２２０の鏡筒全長が長い場合や、レンズ鏡筒２２０の鏡筒外径が大きい場合であっても、外部調光時の調光精度を向上させることができる。
（２）照明装置１は、拡散装置１２が装着された場合に遮光部材４１を突出位置に繰り出し制御するので、受光センサ３０が発光部１０から照射された拡散光を直接検出することが防止される。したがって、拡散装置１２を装着した場合であっても、外部調光時の調光精度を向上させることができる。
（３）遮光部材４１が突出位置にある場合には、これに応じて発光停止のタイミングを規定する閾値を補正するので、受光センサ３０の受光量が減少しても正確な調光制御を行うことができる。
（４）遮光部材４１は、その内周面が実質的な平滑面となっているので、遮光部材４１内を通過する被写体からの反射光の乱反射を抑制することができる。
【００３５】
［第２実施形態］
次に、本発明を適用した遮光部材の実施形態（第２実施形態）について説明する。この第２実施形態において、上述した第１実施形態と同様な機能を果たす部分には、同一の符号又は末尾に統一した符号を付して、重複する説明や図面を適宜省略する。
図５は、第２実施形態の遮光部材が装着された照明装置を示す図である。
遮光部材７０は、第１実施形態の撮影用照明装置１に備えられた遮光装置４０の遮光部材４１と同様に機能するものであり、遮光装置４０に相当するものを備えていない照明装置２に対して着脱可能に装着されるものである。なお、遮光部材７０は、照明装置２を備えたカメラ等の撮影装置（図５において符号３を付す）に装着してもよい。
【００３６】
遮光部材７０は、一端側の内径寸法が他端側の内径寸法よりも大きい筒体（テーパ筒）であり、他端側が照明装置２の凹部３１に挿入されることによって、照明装置２に装着される。遮光部材７０は、外周面にネジ山７１が形成され、このネジ山７１が凹部３１に形成されたネジ山３４に螺合することによって照明装置２に固定されている。
また、遮光部材７０の内周面は、例えば、光沢面等の平滑面に加工処理されており、光を実質的に全反射することによってその内径側を通過する光の乱反射を抑制するようになっている。
【００３７】
照明装置２は、遮光部材７０の着脱を検出する検出スイッチ７２を備えており、制御部５０は、検出スイッチ７２が遮光部材の装着を検出した場合には、これに応じて第１実施形態と同様に、発光停止のタイミングを規定する閾値を補正する制御（図４のステップＳ０５参照）を行う。
なお、図５には、１種類の遮光部材７０のみが示されているが、全長の異なる複数種類の遮光部材（図示省略）を用意し、レンズ鏡筒２２０（図１参照）の鏡筒全長及び鏡筒外径に応じて、複数の遮光部材からひとつを選択的に照明装置２に装着してもよい。
以上説明した第２実施形態の遮光部材７０によれば、第１実施形態の照明装置１と同様に、レンズ鏡筒２２０によって乱反射される照明光、又は、拡散装置１２を介して照射される照明光を受光センサ３０が検出することを防止できるので、外部調光時の調光精度を向上させることができる。
【００３８】
［変形形態］
本発明は、以上説明した実施形態に限定されることなく、以下に示すような種々の変形や変更が可能であって、これらも本発明の技術的範囲内に含まれる。
（１）実施形態の照明装置は、撮影装置であるカメラに着脱可能に装着されたが、照明装置はこれに限らず、撮影装置と一体に形成されたものであってもよい。
（２）実施形態の遮光装置は、遮光部材を駆動するアクチュエータを備えていたが、これに限らず、照明装置に遮光部材を操作できるレバー等を設け、遮光部材を手動で収容位置と突出位置との間で移動できるようにしてもよい。
（３）実施形態の照明装置は遮光部材の突出量に応じて発光停止のタイミングを規定する閾値を下げる制御を行ったが、これに限らず、例えば、受光センサの感度を上げる制御を行ってもよい。この場合、受光センサの受光量が減少しても確実に目標発光量で発光停止制御を行うことができる。
（４）実施形態の遮光部材は、１本の筒状部材であったが、これに限らず複数の筒体を組み合わせたものであってもよい。具体的に説明すると、遮光部材が収容位置にある場合、第１の筒体の内径に第２の筒体が収容され、突出位置に繰り出した状態では、第１の筒体が照明装置の筐体から被写体側に突き出し、第２の筒体は、第１の筒体よりもさらに被写体側に突き出す構成とする。この場合、筐体からの突出量を確保しつつ、遮光部材の全長を短くできる。
（５）遮光部材は、収容位置において、完全に照明装置の筐体に収容されている必要はなく、その先端部が筐体から突き出していてもよい。
（６）実施形態の遮光部材は、筒状に形成されていたが、レンズ鏡筒からの乱反射光、及び、拡散装置を介して照射される照明光を遮光できれば、その形状は、特に筒状に限定されず、例えば、これらの光の入射を実質的に考慮する必要がない部分（例えば、左右の側面部）を切り欠いてもよい。
（７）第２実施形態の遮光部材は、照明装置に対してネジ込まれることによって固定されたが、これに限らず、例えば、凹部の内周面との間に生ずる摩擦力によって照明装置に固定してもよい。この場合、ネジ山を備えていない既存の照明装置に遮光部材を装着できるので便利である。
【図面の簡単な説明】
【００３９】
【図１】第１実施形態の撮影用照明装置を含むカメラシステムを示すブロック図である。
【図２】図１に示す撮影用照明装置に備えられた受光センサ及び遮光装置を示す図である。
【図３】図１に示すカメラシステムにおいて、照明装置が発光を行った状態を示す図である。
【図４】図１に示す制御部が行う遮光部材の繰出制御を示すフローチャートである。
【図５】第２実施形態の遮光部材を示す図である。
【符号の説明】
【００４０】
１  撮影用照明装置  ：  １０  発光部  ：  ３０  受光センサ  ：  ４０  遮光装置  ：  ４１  遮光部材  ：  ５０  制御部  ：  １００  カメラシステム  ：  ２００  カメラ
【図１】
2009145383.tif 000003
【図２】
2009145383.tif 000004
【図３】
2009145383.tif 000005
【図４】
2009145383.tif 000006
【図５】
2009145383.tif 000007